(57)【要約】【課題】目地カバー機構を形成する建物間の目地装置に採用され経年により損傷が少なく、長い年数の使用に耐えうる床用エキスパンションジョイントの段差目地解消装置を提供する。【解決手段】目地カバー機構のカバー部材は、上部に中板を有し、その中板の固定側はビスにて固定された端部固定スラットを設け、該端部固定スラットに対して回動可能に連結された複数個の中間スラット片、及びスラット片の自由端部側で回動可能にスラット片端部を設けており、スラット片端部が目地カバー収納ケーシング上に設けられた傾斜縁部を下部に重ねた状態でカバー部材と目地カバー収納ケーシング間のカバー部材を構成する。【選択図】図２
2017066821.tif 000002
【特許請求の範囲】
【請求項１】
免震建物側の床躯体と該床躯体に対向して建てられた他方の非免震建物側の床躯体間にはクリアランス（間隙部）が設けられており、
該クリアランス間に対向して設けられた床躯体端部間にはクリアランスを塞ぐ目地カバー機構のカバー部材が横架され、
該カバー部材の一方はクリアランスの巾方向に対して移動不能に固定されており、
該カバー部材の他方は自由端部でそのカバー部材の変動量を許容可能な空間を有する目地カバー収納ケーシング内で摺動可能に支承されており、
該目地カバー収納ケーシング内で摺動する前記カバー部材の形状は少なくともクリアランスの略２倍以上の巾を持ちその２分の１は前記目地カバー収納ケーシング内に収納されていて地震時の変動量の伸縮に対応可能な目地カバー部材を構成しており、
前記目地カバー機構のカバー部材は上部に中板を有し、
該中板の固定側はビスにて固定された端部固定スラットを設け、
該端部固定スラットに対して回動可能に連結された複数個の中間スラット片、及びスラット片の自由端部側で回動可能にスラット片端部を設けており、
該スラット片端部が前記目地カバー収納ケーシング上に設けられた傾斜縁部を下部に重ねた状態でカバー部材と目地カバー収納ケーシング間のカバー部材を構成していることを特徴とする床のみ込み式エキスパンションジョイントの段差目地解消装置。
【請求項２】
前記目地カバー機構のカバー部材を構成する端部固定スラット片は薄く奥行き方向に細長い板形状を有しており、
該端部固定スラット片は上面に対向して設けられたＶ溝を有して床仕上げ材を嵌着でき、
該端部固定スラット片は片側側面に上記中間スラット片を回動可能に連結するための嵌合溝部が設けられており、
更に前記カバー部材の中板上に載置される端部固定スラット片の下面は湾曲形状にえぐられた中板への載置底面が設けられていることを特徴とする請求項１に記載された床のみ込みエキスパンションジョイントの段差目地解消装置。
【請求項３】
前記目地カバー機構のカバー部材を構成するスラット片端部に連結される複数個の中間スラット片は夫々薄く奥行き方向に細長い板形状を有しており、
該夫々の中間スラット片は上面に対向して設けられたＶ溝を有して床仕上げ材を嵌着でき、
該夫々の中間スラット片の側面には並列する中間スラット片を回動可能に連結するための嵌合部と嵌合溝部が設けられており、
更に前記夫々の中間スラット片は一端が自由で可撓性を有して前記カバー部材の天板上に安定して載置されること及び前記傾斜縁部との重合時にその傾斜縁部を極端に上部方向に持ち上げないよう夫々の中間スラット片の下面は湾曲形状にえぐられた載置底面が設けられていることを特徴とする請求項１に記載された床のみ込み式エキスパンションジョイントの段差目地解消装置。
【請求項４】
前記目地カバー機構のカバー部材の可動可能な自由端部側中間スラット片先端部側の嵌合溝部に嵌合部を介して回動可能に連結されているスラット片端部、
該スラット片端部はその先端において薄く丸み有した係合部を形成して通常時において前記傾斜縁部を下部に重ねた状態でカバー部材と目地カバー収納ケーシング間の目地部を構成していることを特徴とする請求項１に記載された床の見込み式エキスパンションジョイントの段差目地解消装置。
【発明の詳細な説明】
【技術分野】
【０００１】
本発明は、免震建物など左右の建物間に設けられる床のみ込み式エキスパンションジョイントにおいて目地カバー機構部分に使用される段差目地解消装置に関するものである。
【背景技術】
【０００２】
エキスパンションジョイントは、建物にかかる外力等の変動要因から発生する応力の伝達を分断するために設けられた分割ラインのことであり、隣接して建てられた左右の建物同士が地震の揺れにより激突することを防ぐために設けられたクリアランス（間隙）を建物の揺れ動きに追従可動する伸縮性のある目地カバー機構で塞ぎ、左右の建物を連結、一体化して使用できるようにするジョイント部材のことである。
【０００３】
従って、エキスパンションジョイントは、その取付け部位により名称が、床用エキスパンションジョイント、壁用エキスパンションジョイント、天井用エキスパンションジョイント、屋根用エキスパンションジョイントと云ったように異なり、その形状や構成も夫々取付け部位により特徴を有している。本発明における床用エキスパンションジョイントの目地装置は、床躯体間のクリアランス（間隙）を塞ぐエキスパンションジョイント本体の構造とその目地カバー機構部分から成り、該目地カバー機構を構成する目地カバー部材が床躯体間のクリアランス間に横架されている構造であることから、地震時の揺れによって生じる床と目地カバー部材間の動きにおいて、目地カバー部材が互いに上部に突出したり、大きな段差溝を作ることなくＸ方向変位に対応できる床用エキスパンションジョイントを採用するとともに、該床用エキスパンションジョイントの可動部に設けられる目地装置は、前記床と目地カバー部材間の動きにおいて目地カバー部材が互いに突出したり、大きな段差を作ることがあっても、その上部の突出部や段差部を緩やかに塞ぎながら地震時の揺れに対応できるもので、地震時における揺れが続いている場合や、揺れの終息時においても歩行者の避難路としても安全性の高い目地装置を備えた床のみ込み式エキスパンションジョイントを提供するものである。
【０００４】
また、本発明は、床のみ込み式エキスパンションジョイントに用いられ床躯体間のクリアランス（間隙）を塞ぐ目地カバー機構に使用される目地装置に関するもので、該目地装置は、従来装置の如く段差のできる目地装置の欠点を解消する有効な目地装置を提供するものであり、本発明は、特に免震建物など左右の建物間の大きなクリアランス（間隙）を塞ぐ目地カバー機構に使用され経年により損傷が少なく、長い年数の使用に耐えうる段差目地解消装置を提供するものである。
【０００５】
而して、従来の床用エキスパンションジョイントにおける目地カバー機構と目地装置に係る発明は、特開２０００−３２８６７４号（以下、特許文献１と称する）や特開２０１１−２３１５２７号（以下、特許文献２と称する）が知られている。
【０００６】
上記特許文献１の発明において、請求項２の発明を図１２乃至図１４を参照に見てみると、特許文献１の発明は、目地部（２）を介して建てられた左右の建物の一方の建物の目地部側の床面に形成された支持凹部（２３）に取付けられた目地プレート支持具（２４）と前記左右の建物の他方の建物の目地部側の床面に形成された凹部（１）と、この凹部（１）に固定された反目地部側が傾斜のガイド面となる固定金具（４）と、一端が前記目地プレート支持金具（２４）に回動可能に取付けられ、他端が前記固定金具（４）のガイド面を除く部位を覆うように取付けられる目地プレート（１０Ａ）と、この目地プレート（１０Ａ）の他端部に固定的あるいは下部側部位で回動可能に取付けられた前記固定金具のガイド面を覆うゴム等の弾性材で形成された保護体（１５）とからなる目地装置と云うものであり、その概要は、目地プレート（目地カバー機構）と弾性材（目地装置）からなる床用エキスパンションジョイントの目地装置であると思われる。
【０００７】
そして、上記引用文献１の発明の効果は、
１）地震等によって目地部の寸法が狭くなった場合、両端部に弾性材で形成された保護体が左右の建物の床面上に突出させることができるので、突出する先端部が弾性材の保護体であるため、従来のように鋭角に形成された金属部が突出するものに比べて安全性の確保を図ることができる。
２）目地プレートの両端部に保護体を取付けるだけであるので、容易に取付けることができる。
３）目地プレートの両端部の保護体を回動可能に取付けることにより、保護体が回動し、該保護体の先端部を左右の建物の床面や一対の固定金具のガイド面に接触する状態でスライド移動させることができるので、揺れ動き時の開口部が小さくなり、より安全に使用することができる。
としており、保護体（１５）を他方のみに設けた構成の実施例においても、保護体（１５）は先端部が常時固定金具（４）のガイド面（８）や他方の建物３の床面に接触するので、同様の作用効果が得られるとしている。
【０００８】
然しながら、引用文献１の発明の様に左右の建物間に形成される目地部（クリアランス）を目地プレート（目地カバー機構）と弾性材（目地装置）にて塞ぐ構成では、地震時の揺れによって目地部が縮小方向に動いた場合に、図１４（引用文献１の符号）の如く目地部の被覆部材となる目地プレート（１０Ａ）と保護体１５がタイルや化粧板（１３）により形成された床面上に大きく突出する動作を起こしてしまう。また、地震の揺れにより目地部が拡大方向に動いた場合には、図８（引用文献１の符号）の如く目地プレート（１０）の設置場所となる凹部（１）が段差を有する間隙となって現れるので、地震の揺れが続いている場合に歩行者や避難者に怪我をさせてしまうと云う大きな欠点があった。
【０００９】
次に、上述した引用文献１の大きな欠点を解消するためになされた引用文献２の床用エキスパンションジョイントについて説明する。引用文献２の発明において採用されている目地カバー機構は、隣接する建造物の床相互間の目地（ｓ）に差し渡されて該目地（ｓ）を覆うカバー体（Ｃ）の一端を、一方の床の側縁に保持手段を介して少なくとも目地幅方向に移動不能に保持し、該カバー体（Ｃ）の他端部を自由端部とする一方、他方の床の側縁に、水平受板（２）と、該水平受板（２）の上部に対設されて該水平受板（２）の外端に一端縁が連結された端部カバー（３）とを備え、該端部カバー板（３）と水平受板（２）間をカバー体（Ｃ）の自由端部が摺動可能に挿入される摺動空隙（２９）とする摺動受枠体（１）が配設された構成の床目地カバー装置（目地カバー機構）において実施されているものである（引用文献２、図１参照）。
【００１０】
そして、上記目地カバー機構に配設される目地装置の発明その１は、摺動空隙（２９）に挿入されるカバー体（Ｃ）の自由端部の上面高さが、地震のない常態で前記摺動空隙（２９）に挿入されないカバー体（Ｃ）の非挿入部（１３）の上面高さに比して端部カバー板（３）の自由端部が、その上面を端部カバー板（３）の下面に重ね合わせた状態で摺動空隙（２９）に挿入されて、カバー体（Ｃ）の非挿入部の上面と端部カバー板（３）の上面とが略同一高さに設けられていることを特徴とする床用目地カバー装置であると思われる（引用文献２、図１乃至図３参照）。
【００１１】
また、引用文献２における目地装置の発明その２は、端部カバー板（３）の上面に化粧シート（５ｂ）が被着されると共に、該端部カバー板（３）の端縁上面に前記化粧シート（５ｂ）の端縁を見切り、かつ先端部がカバー体（Ｃ）の非挿入部の上面に乗載される遮蔽板（１４）が配設される一方、カバー体（Ｃ）の非挿入部の上面に化粧シート（５ｃ）が被着されるとともに、該化粧シート（５ｃ）の端縁を見切る見切り板（１５）が前記遮蔽板（１４）に対向させてカバー体（Ｃ）の非挿入部の上面に配設され、該見切り板（１５）の上方からカバー体（Ｃ）に螺合される複数の螺子（１８）による固定によって見切り板（１５）配設位置が調節可能に設けられていることを特徴とする床用目地カバー装置であると思われる（引用文献２、図３乃至５参照）。
【００１２】
而して、引用文献２の発明の効果は、上述の床用エキスパンションジョイントの目地カバー機構を採用し、上記目地装置の発明その１と発明その２を提供することにより、カバー体（Ｃ）の上面と端部カバー板（３）の上面との間に段差が生じることがなく、これによって外的美観を向上させることができるとの効果を奏するものとしている。
【００１３】
また、引用文献２の発明の効果は、見切り板（１５）の上方からカバー体（Ｃ）に螺合される複数の螺子（１８）による固定によって見切り板（１５）配設位置が調節可能に設けられている構成にあっては、地震が終わった後に、見切り板（１５）と遮蔽板（１４）の相互間隔が施工時に設定された間隔に比して変化して、見切り板（１５）に遮蔽板（１４）が乗り上げた状態となったり、逆に見切り板（１５）と遮蔽板（１４）の間隙が広がり過ぎた状態となった場合に、螺子（１８）を取り外して見切り板（１５）を移動させ、再度螺子（１８）で見切り板（１５）を固定することにより、見切り板（１５）と遮蔽板（１４）の相互間隔を適正間隔に戻すことができるとしており、地震による揺れが収まった時の目地装置の応急処置やメンテナンス迄を考えた床用エキスパンションジョイントにおける目地カバー機構に使用する目地装置を提供するものとしている。
【００１４】
然しながら、上記引用文献２の発明においては、床用エキスパンションジョイントにおける目地装置としての使用が如何に苛酷であり消耗の激しいものであるかの検討がなされていない。
即ち、引用文献２の発明の構成では、図４及び図５に記載の如く遮蔽板１４と見切り板１５の薄い鋼板間にはどうしても間隙が生じてしまう。また、カバー体（Ｃ）の表面は、比較的厚みの薄い端部カバー板（３）上に被着した化粧シート（５ｂ）、端部カバー板（３）に溶接にて接合されている遮蔽板（１４）、非挿入部（１３）の上部に複数の螺子（１８）により固定した見切り板（１５）、そして、該見切り板（１５）に連続して非挿入部（１３）上面に被着された化粧シート（５ｃ）から形成されており、当該目地装置部分は、例えば、病院やホテルの床用エキスパンションジョイントにおける目地装置として使用すると、該目地装置部分上には、通常時において、歩行者は勿論のこと、ベッドやストレッチャー、配膳車、そして重量のある移動式放射線撮影装置などの行き来が頻繁であり、同様にホテル等の建物においては、配膳車、バゲージカート、各種カート等が頻繁に通行するので、目地装置の接続部分は経年により損傷してしまい、長い年数の使用に耐えうる目地装置ではない。
【００１５】
また、上記引用文献２の発明の構成は、遮蔽板（１４）の先端部の端縁に下面から外端に向けて昇り勾配で傾斜する傾斜面（１９）（図４参照）が形成されており、該遮蔽板（１４）に対向する見切り板（１５）の端縁には遮蔽板（１４）の傾斜面（１９）と同方向に傾斜する傾斜面（２０）が形成されている。そして、この両傾斜面（１９）、（２０）により、地震時に隣接する建物（Ａ）、（Ｂ）が近接する方向に相対変化した場合に、遮蔽板（１４）が見切り板（１５）上に容易に乗り上げることができるようになっているが、この状態でも病院やホテルでは、地震の揺れが終息した段階で建物本体に大きな不都合がなければ、診療業務や宿泊業務を続けるので前記床用エキスパンションジョイントの目地装置上をベッドやストレッチャー、配膳車、バゲージカート、各種カート等が頻繁に通行することにより、目地装置は補修前に大きく破損してしまう欠点がある。
【先行技術文献】
【特許文献】
【００１６】
【特許文献１】特開２０００−３２８６７４
【特許文献２】特開２０１１−２３１５２７
【発明の概要】
【発明が解決しようとする課題】
【００１７】
斯くして、本発明は、床のみ込み式エキスパンションジョイントに用いられ床躯体間のクリアランス（間隙）を塞ぐ目地カバー機構に使用される段差目地解消装置に関するものであり、該目地装置は前記特許文献１、及び特許文献２に記載従来の目地装置の欠点を解消する有効な目地装置を提供するものである。また、本発明は、免震建物など左右の建物間の大きなクリアランス（間隙）を塞ぐための床用エキスパンションジョイントに用いられる目地カバー機構の目地装置であり、該目地装置のカバー部材の中板上に載置される端部固定スラット片、回動可能に連結された複数個の中間スラット片、スラット片端部、及び傾斜縁部は、堅牢な作りで可撓性を有しており、カバー部材の天板上に良くなじむ構成で載置され、通常時に歩行者は勿論のことベッドやストレッチャー、配膳車、そして重量のある移動式放射線撮影装置などが行き来する病院や、配膳車、バゲージカート、各種カート等が行き来するホテル等において、目地カバー機構を形成する建物間の目地装置に採用され経年により損傷が少なく、長い年数の使用に耐えうる床用エキスパンションジョイントの目地装置を提供するものである。
【００１８】
また、本発明における従来装置の欠点の解消事項として、従来装置は、地震時の揺れにより目地カバー機構と床面間の可動スペースが拡大され目地カバー機構を構成する目地装置部が特許文献１の図８の如く広がって大きな段差を有した溝を形成する場合があり、この場合に本発明の目地装置は可撓性があり可動面に対して常に接触性の良い構成の目地カバー材を敷設した構成で、目地装置に発生する山型形状部や段差部を覆い歩行者が地震時においても安全に避難できる床のみ込み式エキスパンションジョイントの段差目地解消装置を提供するものである。
【００１９】
更に、本発明においては、特許文献２の図４（Ａ）の如く地震の揺れにより目地カバー機構と床面間の可動スペースが縮小され目地装置の片側（見切り板（１５））に対設する目地装置の遮蔽板（１４）が乗り上げて上部に突出した状態になることを防止する目地カバー片側収納形式の床用エキスパンションジョイントの目地カバー機構と組み合わせることにより、地震時の揺れが続いている場合においても、目地カバー機構部が上部に大きく突出しても歩行者の避難を妨げることがなく、また、地震の揺れが終息した時点で、凸部や段差部が残ってしまった場合にあっても、中間スラット片を任意に取り除いたり、付加することにより目地装置部分を簡単に修理可能であり、建物本体がダメージない場合において、診療業務や宿泊業務を継続していかなくてはならない病院やホテル等の建物においては、非常に有効な床のみ込み式エキスパンションジョイントの段差目地解消装置を提供するものである。
【課題を解決するための手段】
【００２０】
本発明は、免震建物側の床躯体と該床躯体に対向して建てられた他方の非免震建物側の床躯体間にはクリアランス（間隙部）が設けられており、該クリアランス間に対向して設けられた床躯体端部間にはクリアランスを塞ぐ目地カバー機構のカバー部材が横架され、該カバー部材の一方はクリアランスの巾方向に対して移動不能に固定されており、該カバー部材の他方は自由端部でそのカバー部材の変動量を許容可能な空間を有する目地カバー収納ケーシング内で摺動可能に支承されており、該目地カバー収納ケーシング内で摺動する前記カバー部材の形状は少なくともクリアランスの略２倍以上の巾を持ちその２分の１は前記目地カバー収納ケーシング内に収納されていて地震時の変動量の伸縮に対応可能な目地カバー部材を構成しており、前記目地カバー機構のカバー部材は上部に中板を有し、該中板の固定側はビスにて固定された端部固定スラットを設け、該端部固定スラットに対して回動可能に連結された複数個の中間スラット片、及びスラット片の自由端部側で回動可能にスラット片端部を設けており、該スラット片端部が前記目地カバー収納ケーシング上に設けられた傾斜縁部を下部に重ねた状態でカバー部材と目地カバー収納ケーシング間のカバー部材を構成していることを特徴とする床のみ込み式エキスパンションジョイントの段差目地解消装置を提供するものである。
【００２１】
また、本発明において、前記目地カバー機構のカバー部材を構成する端部固定スラット片は、薄く奥行き方向に細長い板形状を有しており、該端部固定スラット片は上面に対向して設けられたＶ溝を有して床仕上げ材を嵌着でき、該端部固定スラット片は片側側面に上記中間スラット片を回動可能に連結するための嵌合溝部が設けられており、更に前記カバー部材の中板上に載置される端部固定スラット片の下面は湾曲形状にえぐられた中板への載置底面が設けられている床のみ込みエキスパンションジョイントの段差目地解消装置を提供するものである。
【００２２】
更に本発明において、前記目地カバー機構のカバー部材を構成するスラット片端部に連結される複数個の中間スラット片は、夫々薄く奥行き方向に細長い板形状を有しており、該夫々の中間スラット片は上面に対向して設けられたＶ溝を有して床仕上げ材を嵌着でき、該夫々の中間スラット片の側面には並列する中間スラット片を回動可能に連結するための嵌合部と嵌合溝部が設けられており、更に前記夫々の中間スラット片は一端が自由で可撓性を有して前記カバー部材の中板上に安定して載置されること及び前記傾斜縁部との重合時にその傾斜縁部を極端に上部方向に持ち上げないよう夫々の中間スラット片の下面は湾曲形状にえぐられたスラット載置底面が設けられている床のみ込み式エキスパンションジョイントの段差目地解消装置を提供するものである。
【００２３】
そして、本発明は、前記目地カバー機構のカバー部材の可動可能な自由端部側中間スラット片先端部側の嵌合溝部に嵌合部を介して回動可能に連結されているスラット片端部、該スラット片端部はその先端において薄く丸み有した係合部を形成して通常時において前記傾斜縁部を下部に重ねた状態でカバー部材と目地カバー収納ケーシング間の目地部を構成している床の見込み式エキスパンションジョイントの段差目地解消装置を提供するものである。
【発明の効果】
【００２４】
斯くして、本発明は、床用エキスパンションジョイントに用いられ床躯体間のクリアランス（間隙）を塞ぐ目地カバー機構に使用される目地装置に関するものであり、該目地装置は従来の目地装置の欠点を解消する有効な段差目地解消装置を提供するものである。また、本発明は、免震建物など左右の建物間の大きなクリアランス（間隙）を塞ぐための床用エキスパンションジョイントに用いられる目地カバー機構の目地装置であり、該目地装置のカバー部材の中板上に載置される端部固定スラット片、回動可能に連結された複数個の中間スラット片、スラット片端部、及び傾斜縁部は、堅牢な作りで可撓性を有していることから、カバー部材の中板上に良くなじむ構成で載置され、通常時に歩行者は勿論のことベッドやストレッチャー、配膳車、そして重量のある移動式放射線撮影装置などが行き来する病院や、配膳車、バゲージカート、各種カート等が行き来するホテル等において、目地カバー機構を形成する建物間の目地装置に使用され経年により損傷が少なく、長い年数の使用に耐えうる床のみ込み式エキスパンションジョイントの段差目地解消装置を提供可能である。
【００２５】
また、本発明における従来装置の欠点の解消事項として、従来装置は、地震時の揺れにより目地カバー機構と床面間の可動スペースが拡大され目地カバー機構を構成する目地装置部が広がって段差を有した溝を形成する場合があり、この場合に本発明の目地装置は可撓性があり可動面に対して常に接触性の良い構成の目地カバー材を敷設した構成で、目地装置に発生する山型形状部や段差部を覆い歩行者が地震時においても安全に避難できる床のみ込み式エキスパンションジョイントの段差目地解消装置を提供可能である。
【００２６】
更に、本発明においては、特許文献２の従来装置の如く地震の揺れにより目地カバー機構と床面間の可動スペースが縮小され目地装置の片側（見切り板（１５））に対設する目地装置の遮蔽板（１４）が乗り上げて上部に突出した状態になることを防止する目地カバー片側収納形式の床用エキスパンションジョイントの目地カバー機構と組み合わせることにより、地震時の揺れが続いている場合においても、目地カバー機構部が上部に大きく突出して歩行者の避難を妨げることがなく、また、地震の揺れが終息した時点で、凸部や段差部が残ってしまった場合にあっても、中間スラット片を任意に取り除いたり、付加することにより目地装置部分を簡単に修理可能であり、建物本体がダメージない場合において、診療業務や宿泊業務を継続していかなくてはならない病院やホテル等の建物においては、非常に有効な床のみ込み式エキスパンションジョイントの段差目地解消装置を提供可能である。
【図面の簡単な説明】
【００２７】
【図１】本発明の実施形態を説明する側断面図（通常時）。
【図２】図１の要部拡大側面図。
【図３】（Ａ）目地装置部分のクリアランスが縮小方向に動き始めた状態を示す動作説明図。（Ｂ）目地装置部分のクリアランスが最少方向に動いた状態を示す動作説明図。       （Ｃ）通常時の目地装置を示す説明図。（Ｄ）目地装置部分のクリアランスが最大方向に動き始めた状態を示す動作説明図。
【発明を実施するための形態】
【００２８】
斯くして、本発明は、床用エキスパンションジョイントに用いられ床躯体間のクリアランス（間隙）を塞ぐ目地カバー機構に使用される目地装置に関するものであり、該目地装置は前記特許文献１、及び特許文献２に記載従来の目地装置の欠点を解消する有効な目地装置を提供するものである。また、本発明は、免震建物など左右の建物間の大きなクリアランス（間隙）を塞ぐための床用エキスパンションジョイントに用いられる目地カバー機構の目地装置であり、該目地装置のカバー部材の中板上に載置される端部固定スラット片、回動可能に連結された複数個の中間スラット片、スラット片端部、及び傾斜縁部は、堅牢な作りで可撓性を有しており、カバー部材の中板上に良くなじむ構成で載置され、通常時に歩行者は勿論のことベッドやストレッチャー、配膳車、そして重量のある移動式放射線撮影装置などが行き来する病院や、配膳車、バゲージカート、各種カート等が行き来するホテル等において、目地カバー機構を形成する建物間の目地装置に採用され経年により損傷が少なく、長い年数の使用に耐えうる床のみ込み式エキスパンションジョイントの段差目地解消装置を提供するものである。
【００２９】
また、本発明における従来装置の欠点の解消事項として、従来装置は、地震時の揺れにより目地カバー機構と床面間の可動スペースが拡大され目地カバー機構を構成する目地装置部が特許文献１の図８の如く広がって大きな段差を有した溝を形成する場合があり、この場合に本発明の目地装置は可撓性があり可動面に対して常に接触性の良い構成の目地カバー材を敷設した構成で、目地装置に発生する山型形状部や段差部を覆い歩行者が地震時においても安全に避難できる床のみ込み式エキスパンションジョイントの段差目地解消装置を提供するものである。
【００３０】
更に、本発明においては、特許文献２の図４（Ａ）の如く地震の揺れにより目地カバー機構と床面間の可動スペースが縮小され目地装置の片側（見切り板（１５））に対設する目地装置の遮蔽板（１４）が乗り上げて上部に突出した状態になることを防止する目地カバー片側収納形式の床用エキスパンションジョイントの目地カバー機構と組み合わせることにより、地震時の揺れが続いている場合においても、目地カバー機構部が上部に大きく突出しても歩行者の避難を妨げることがなく、また、地震の揺れが終息した時点で、凸部や段差部が残ってしまった場合にあっても、中間スラット片を任意に取り除いたり、付加することにより目地装置部分を簡単に修理可能であり、建物本体がダメージない場合において、診療業務や宿泊業務を継続していかなくてはならない病院やホテル等の建物においては、非常に有効な床のみ込み式エキスパンションジョイントの段差目地解消装置を提供するものである。
【００３１】
本発明は、免震建物側の床躯体と該床躯体に対向して建てられた他方の非免震建物側の床躯体間にはクリアランス（間隙部）が設けられており、該クリアランス間に対向して設けられた床躯体端部間にはクリアランスを塞ぐ目地カバー機構のカバー部材が横架され、該カバー部材の一方はクリアランスの巾方向に対して移動不能に固定されており、該カバー部材の他方は自由端部でそのカバー部材の変動量を許容可能な空間を有する目地カバー収納ケーシング内で摺動可能に支承されており、該目地カバー収納ケーシング内で摺動する前記カバー部材の形状は少なくともクリアランスの略２倍以上の巾を持ちその２分の１は前記目地カバー収納ケーシング内に収納されていて地震時の変動量の伸縮に対応可能な目地カバー部材を構成しており、前記目地カバー機構のカバー部材は上部に中板を有し、該中板の固定側はビスにて固定された端部固定スラットを設け、該端部固定スラットに対して回動可能に連結された複数個の中間スラット片、及びスラット片の自由端部側で回動可能にスラット片端部を設けており、該スラット片端部が前記目地カバー収納ケーシング上に設けられた傾斜縁部を下部に重ねた状態でカバー部材と目地カバー収納ケーシング間のカバー部材を構成していることが好ましい。
【００３２】
また、本発明において、前記目地カバー機構のカバー部材を構成する端部固定スラット片は、薄く奥行き方向に細長い板形状を有しており、該端部固定スラット片は上面に対向して設けられたＶ溝を有して床仕上げ材を嵌着でき、該端部固定スラット片は片側側面に上記中間スラット片を回動可能に連結するための嵌合溝部が設けられており、更に前記カバー部材の中板上に載置される端部固定スラット片の下面は湾曲形状にえぐられた中板へのスラット載置底面が設けられていることが好ましい。
【００３３】
更に本発明において、前記目地カバー機構のカバー部材を構成するスラット片端部に連結される複数個の中間スラット片は、夫々薄く奥行き方向に細長い板形状を有しており、該夫々の中間スラット片は上面に対向して設けられたＶ溝を有して床仕上げ材を嵌着でき、該夫々の中間スラット片の側面には並列する中間スラット片を回動可能に連結するための嵌合部と嵌合溝部が設けられており、更に前記夫々の中間スラット片は一端が自由で可撓性を有して前記カバー部材の天板上に安定して載置されること及び前記傾斜縁部との重合時にその傾斜縁部を極端に上部方向に持ち上げないよう夫々の中間スラット片の下面は湾曲形状にえぐられた載置底面が設けられていることが好ましい。
【００３４】
そして、本発明は、前記目地カバー機構のカバー部材の可動可能な自由端部側中間スラット片先端部側の嵌合溝部に嵌合部を介して回動可能に連結されているスラット片端部、該スラット片端部はその先端において薄く丸み有した係合部を形成して通常時において前記傾斜縁部を下部に重ねた状態でカバー部材と目地カバー収納ケーシング間の目地部を構成している床用エキスパンションジョイントの目地装置を提供するものである。
【実施例】
【００３５】
図１乃至図３は本発明の実施の形態を説明するもので、図１は本発明の実施形態を説明する側断面図で、目地カバー機構に目地装置を取付けた通常時の状態を示し、図２は前記図１の要部拡大側面図を示しており、図３（Ａ）は目地装置部分のクリアランスが縮小方向に動き始めた状態を示す動作説明図、図３（Ｂ）は目地装置部分のクリアランスが最少方向に動いた状態を示す動作説明図、図３（Ｃ）は通常時の目地装置を示す説明図、図３（Ｄ）は目地装置部分のクリアランスが最大方向に動き始めた状態を示す動作説明図である。
【００３６】
図１及び図２において、１は床用エキスパンションジョイントを示しており、該床用エキスパンションジョイント１において、Ａは免震建物側の床躯体、Ｂは対向して建てられた他方の非免震建物側の床躯体を示し、床躯体Ａと床躯体Ｂ間にはクリアランス（間隙部）Ｃが設けられている。そして、前記クリアランスＣ間の対向する床躯体端部２ａ、２ｂ間にはクリアランスＣを塞ぐ目地カバー機構３のカバー部材４と、該カバー部材４の可動側で支承し、クリアランスＣが地震により変動した場合にそのカバー部材４の変動量を許容可能な空間を有する目地カバー収納ケーシング５を有している。
【００３７】
そして、前記床躯体端部２ａ側のカバー部材４端部は、床躯体端部２ａの側壁にボールキャスター６付のスライドレール７を介して保持されており、このスライドレール７によりカバー部材４の端部は床用エキスパンションジョイント１のＸ方向変位（Ｘ）、即ち、クリアランスＣの幅方向の動きには移動不能に保持されている。しかし、床用エキスパンションジョイント１のＹ方向変位の動きに対しては前記スライドレール７により対応できるので、図１や図２において、その奥行き方向や手前方向の動きには対応して前記カバー部材４をスライド動作可能に構成されている。
【００３８】
従って、一端をＹ方向変位のみにスライド可能でＸ方向変位に対しては実質上、固定されているカバー部材４は、クリアランスＣを塞ぐ床板形状を有する板材であり、設置時において少なくともクリアランスＣの略２倍以上の巾を持ち、その２分の１は前記目地カバー収納ケーシング５内に収納されてＸ方向変位の伸縮に対応可能である。また、カバー部材４は、上部に中板８を有し、該中板８を支持する下地骨材９ａ、９ｂ等により床用エキスパンションジョイント１のカバー部材４としての荷重に耐えうる構成で、該カバー部材４は、前記床躯体端部２ａと目地カバー収納ケーシング５内の滑動受板１０上間に横設されており、該横設されたカバー部材４の下部には任意ピッチで前記目地カバー収納ケーシング５内の滑動受板１０上に当接して滑動するキャスター１１ａ、１１ｂ、１１ｃ・・・が設けられており、地震によりクリアランスＣが変動した場合に一端を自由端部としたカバー部材４の目地カバー収納ケーシング５側は、その変動に対応してカバー部材４を目地カバー収納ケーシング５内から出し入れすることにより、Ｘ方向変位に対応可能である。
【００３９】
更に、図１及び図２において、１２ａは床躯体Ａの上部に貼着された床仕上げ材、１２ｂは床躯体Ｂの上部に貼着された床仕上げ材、１３は前記目地カバー収納ケーシング５の上板を構成する上部カバー材であり、１４はその上部カバー材１３上に貼着した収納ケーシング用の床仕上げ材で、該収納ケーシング用の床仕上げ材１４の端部には傾斜縁部１５が設けてある。尚、図１において１６は床用エキスパンションジョイントの止水シート、１７は耐火帯を示している。
【００４０】
斯くして、床用エキスパンションジョイント１の目地カバー機構３を構成するカバー部材４の上面に設置され床躯体端部２ａ、２ｂ間のクリアランスＣを塞ぐ段差目地解消装置１８は、前記カバー部材４の中板８が地震時の揺れに対応して、目地カバー収納ケーシング５にスライド摺動する位置において実施されている。即ち、端部固定スラット１９は床躯体端部２ａ側のカバー部材４に中板８を介してビス２０にて固定されており、該端部固定スラット１９に対して回動可能に連結された複数個の中間スラット片２１ａ、２１ｂ、２１ｃ、２１ｄ，２１ｅ、２１ｆ、２１ｇ、２１ｈ、２１ｉが前記中板８上に配列されており該中間スラット片２１ｉの端部には中間スラット片２１ｉに対して回動可能にスラット片端部２２が連結されている。
【００４１】
また、前記端部固定スラット片１９は薄く奥行き方向に細長い板形状を有しており、上面に対向して設けられたＶ溝２３を有して床仕上げ材２４を嵌着でき、片側側面に上記中間スラット片２１ａを回動可能に連結するための嵌合溝部２５が設けられており、更に前記カバー部材４の中板８上に載置される端部固定スラット片１９下面は湾曲形状にえぐられた載置底面２６が設けられている。
【００４２】
次に、上記端部固定スラット片１９に連結される中間スラット片２１ａ、２１ｂ、２１ｃ・・・は、夫々薄く奥行き方向に細長い板形状を有しており、上面に対向して設けられたＶ溝２３を有して床仕上げ材２４を嵌着でき、夫々の中間スラット片２１ａ、２１ｂ、２１ｃ・・・側面には並列する部材を回動可能に連結するための前記嵌合溝部２５と円型嵌合部２８が設けられており、中間スラット片２１ａ、２１ｂ、２１ｃ・・・は一端が自由で可撓性を有して前記カバー部材４の中板８上に安定して載置されること、及び後に詳説する前記傾斜縁部１５との重合時にその傾斜縁部１６を極端に上部方向に持ち上げないよう夫々の中間スラット片２１ａ、２１ｂ、２１ｃ・・・の下面は湾曲形状にえぐられたスラット載置底面２９が設けられている。
【００４３】
そして、カバー部材４の可動可能な方向の端部には、中間スラット片２０ｉ側面の嵌合溝部２８に嵌合部２７を介して回動可能に連結されているスラット片端部２２が連結されており、該スラット片端部２２はその先端において薄く丸み有した係合部３１を形成して通常時において、前記傾斜縁部１５を下部に重ねた状態でカバー部材４と目地カバー収納ケーシング５間の目地部を構成している。従って、中間スラット片２１ａ、２１ｂ、２１ｃ・・・とスラット片端部２２は前記端部固定スラット片１９から連結され、傾斜縁部１５側端部が自由で全体的に可撓性を有して前記カバー部材４の中板８上に安定してグラツキなく載置されている。尚、３２は前記傾斜縁部１５との重合時にその傾斜縁部１６を極端に上部方向に持ち上げないようにするためにスラット片端部２２下面に設けた湾曲形状の載置底面である。
【００４４】
また、上述した端部固定スラット片１９、回動可能に連結された複数個の中間スラット片２１ａ、２１ｂ、２１ｃ・・・、スラット片端部２２、及び傾斜縁部１５は、アルミ押出し形材や硬度を有するエンプラ材による押出し形材にて製作することにより精度が良く円滑な可撓性のある段差目地解消装置１８部分を製造することができる。
【００４５】
斯くして、図３（Ａ）、（Ｂ）、（Ｃ）、（Ｄ）は、上記目地装置１８の動作を説明するものであり、図３（Ａ）は、段差目地解消装置１８部分のクリアランスＣが地震により縮小方向に動き始めた状態を示す動作説明図、図３（Ｂ）は、図３（Ａ）の状態が地震の揺れにより進行して段差目地解消装置１８部分のクリアランスＣが最少方向に動いた状態を示す動作説明図を示している。また、図３（Ｃ）は、図１、図２における段差目地解消装置１８部の拡大側断面図を示しており、図３（Ｃ）は、段差目地解消装置１８の設置時、または、通常時の状態を示す説明図、次に、図３（Ｄ）は、目地装置部分のクリアランスが最大方向に動いた状態を示す動作説明図を夫々しめしている。尚、図３において、図１、図２と同一符号は、同一構成要素を示している。
【００４６】
図３（Ａ）は、図３（Ｃ）に示す段差目地解消装置１８の設置時、または通常時の状態から、クリアランスＣが地震の揺れにより縮小方向に動き始めた状態を示すもので、クリアランスＣの間隙が縮小し始めることにより図３（Ａ）においてスラット片端部２２と傾斜縁部１５は重なりあって、目地部高さＨ１を有してカバー部材４の中間板８上に載置されていた状態になり、傾斜縁部１５はスラット片端部２２及び中間スラット片２１ｉを押し上げ、やがて、完全に傾斜縁部１５はスラット片端部２２及び中間スラット片２１ｉを押し上げて図３（Ｂ）に示すように目地部高さＨ２を有する高さになる。そして、目地部高さＨ２は中間スラット片２１ａ、２１ｂ、２１ｃ・・・と上部カバー材１３上に貼着した収納ケーシング用の床仕上げ材１４の厚さを有した盛り上がり部を形成するが、該盛り上がり部の高さに到達するアプローチは夫々可動可能に連結されその回動部により可撓性有したスラット片２１ａ、２１ｂ、２１ｃ・・・やスラット片端部２２によりなだらかにカバーされた状態に形成されており、地震時の揺れが継続している場合においても極端な凸部を形成しないので、避難路として安全に行き来することが可能である。
【００４７】
また、この中間スラット片２１ａ、２１ｂ、２１ｃ・・・２１ｉ等と上部カバー材１３上に貼着した収納ケーシング用の床化粧シート１４の厚さを有した盛り上がり部は、地震の終息時において、通常は、図３（Ｃ）に示すように段差目地解消装置１８の元の設置時に戻る場合が多いが、例えば、地震の揺れが終息した時点で、図３（Ｂ）の如く前記盛り上がり部が残ってしまった場合には、中間スラット片２１ｇ、２１ｈや２１ｉ等を取外すことにより段差目地解消装置１８を図３（Ｃ）のように修理可能であり、建物本体がダメージない場合において、診療業務や宿泊業務を継続していかなくてはならない建物においては、非常に有効な床用エキスパンションジョイントの目地装置を提供することになる。
【００４８】
次に図３（Ｄ）は、段差目地解消装置１８部分のクリアランスＣが最大方向に動いた状態を示す動作説明図を夫々しめしており、スラット片端部２２は傾斜縁部１５とカバー部材４の中板８上で離れ、隙間Ｔを形成するが、その段差目地解消装置１８上の隙間Ｔは、地震の終息時において、通常は、図３（Ｃ）に示すように段差目地解消装置１８の元の設置時に戻る場合が多いが、例えば、地震の揺れが終息した時点で、図３（Ｃ）の如く前記間隙Ｔが残ってしまった場合には、中間スラット片２１ｉの次に新しい中間スラット片を数本付加することにより段差目地解消装置１８を図３（Ｃ）のように修理可能であり、建物本体がダメージない場合において、診療業務や宿泊業務を継続していかなくてはならない病院やホテル等の建物においては、非常に有効な床用エキスパンションジョイントの目地装置を提供するものである。
【００４９】
而して、本発明は、免震建物側の床躯体と該床躯体に対向して建てられた他方の非免震建物側の床躯体間にはクリアランス（間隙部）が設けられており、該クリアランス間に対向して設けられた床躯体端部間にはクリアランスを塞ぐ目地カバー機構のカバー部材が横架され、該カバー部材の一方はクリアランスの巾方向に対して移動不能に固定されており、該カバー部材の他方は自由端部でそのカバー部材の変動量を許容可能な空間を有する目地カバー収納ケーシング内で摺動可能に支承されており、該目地カバー収納ケーシング内で摺動する前記カバー部材の形状は少なくともクリアランスの略２倍以上の巾を持ちその２分の１は前記目地カバー収納ケーシング内に収納されていて地震時の変動量の伸縮に対応可能な目地カバー部材を構成しており、前記目地カバー機構のカバー部材は上部に中板を有し、該中板の固定側はビスにて固定された端部固定スラットを設け、該端部固定スラットに対して回動可能に連結された複数個の中間スラット片、及びスラット片の自由端部側で回動可能にスラット片端部を設けており、該スラット片端部が前記目地カバー収納ケーシング上に設けられた傾斜縁部を下部に重ねた状態でカバー部材と目地カバー収納ケーシング間のカバー部材を構成していることを特徴とする床のみ込み式エキスパンションジョイントの段差目地解消装置を提供するものである。
【００５０】
また、本発明において、前記目地カバー機構のカバー部材を構成する端部固定スラット片は、薄く奥行き方向に細長い板形状を有しており、該端部固定スラット片は上面に対向して設けられたＶ溝を有して床仕上げ材を嵌着でき、該端部固定スラット片は片側側面に上記中間スラット片を回動可能に連結するための嵌合溝部が設けられており、更に前記カバー部材の中板上に載置される端部固定スラット片の下面は湾曲形状にえぐられた中板へのスラット載置面が設けられている床のみ込みエキスパンションジョイントの段差目地解消装置を提供するものである。
【００５１】
更に本発明において、前記目地カバー機構のカバー部材を構成するスラット片端部に連結される複数個の中間スラット片は、夫々薄く奥行き方向に細長い板形状を有しており、該夫々の中間スラット片は上面に対向して設けられたＶ溝を有して床仕上げ材を嵌着でき、該夫々の中間スラット片の側面には並列する中間スラット片を回動可能に連結するための嵌合部と嵌合溝部が設けられており、更に前記夫々の中間スラット片は一端が自由で可撓性を有して前記カバー部材の中板上に安定して載置されること及び前記傾斜縁部との重合時にその傾斜縁部を極端に上部方向に持ち上げないよう夫々の中間スラット片の下面は湾曲形状にえぐられたスラット載置底面が設けられている床のみ込み式エキスパンションジョイントの段差目地解消装置を提供するものである。
【００５２】
そして、本発明は、前記目地カバー機構のカバー部材の可動可能な自由端部側中間スラット片先端部側の嵌合溝部に嵌合部を介して回動可能に連結されているスラット片端部、該スラット片端部はその先端において薄く丸み有した係合部を形成して通常時において前記傾斜縁部を下部に重ねた状態でカバー部材と目地カバー収納ケーシング間の目地部を構成している床の見込み式エキスパンションジョイントの段差目地解消装置を提供するものである。
【００５３】
斯くして、本発明は、床用エキスパンションジョイントに用いられ床躯体間のクリアランス（間隙）を塞ぐ目地カバー機構に使用される目地装置に関するものであり、該目地装置は従来の目地装置の欠点を解消する有効な段差目地解消装置を提供するものである。また、本発明は、免震建物など左右の建物間の大きなクリアランス（間隙）を塞ぐための床用エキスパンションジョイントに用いられる目地カバー機構の目地装置であり、該目地装置のカバー部材の中板上に載置される端部固定スラット片、回動可能に連結された複数個の中間スラット片、スラット片端部、及び傾斜縁部は、堅牢な作りで可撓性を有していることから、カバー部材の中板上に良くなじむ構成で載置され、通常時に歩行者は勿論のことベッドやストレッチャー、配膳車、そして重量のある移動式放射線撮影装置などが行き来する病院や、配膳車、バゲージカート、各種カート等が行き来するホテル等において、目地カバー機構を形成する建物間の目地装置に使用され経年により損傷が少なく、長い年数の使用に耐えうる床のみ込み式エキスパンションジョイントの段差目地解消装置を提供可能である。
【００５４】
また、本発明における従来装置の欠点の解消事項として、従来装置は、地震時の揺れにより目地カバー機構と床面間の可動スペースが拡大され目地カバー機構を構成する目地装置部が広がって段差を有した溝を形成する場合があり、この場合に本発明の目地装置は可撓性があり可動面に対して常に接触性の良い構成の目地カバー材を敷設した構成で、目地装置に発生する盛り上がり部や段差部を覆い歩行者が地震時においても安全に避難できる床のみ込み式エキスパンションジョイントの段差目地解消装置を提供可能である。
【００５５】
更に、本発明においては、特許文献２の従来装置の如く地震の揺れにより目地カバー機構と床面間の可動スペースが縮小され目地装置の片側（見切り板（１５））に対設する目地装置の遮蔽板（１４）が乗り上げて上部に突出した状態になることを防止する目地カバー片側収納形式の床用エキスパンションジョイントの目地カバー機構と組み合わせることにより、地震時の揺れが続いている場合においても、目地カバー機構部が上部に大きく突出して歩行者の避難を妨げることがなく、また、地震の揺れが終息した時点で、凸部や段差部が残ってしまった場合にあっても、中間スラット片を任意に取り除いたり、付加することにより目地装置部分を簡単に修理可能であり、建物本体がダメージない場合において、診療業務や宿泊業務を継続していかなくてはならない病院やホテル等の建物においては、非常に有効な床のみ込み式エキスパンションジョイントの段差目地解消装置を提供可能である。
【符号の説明】
【００５６】
１  床用エキスパンションジョイント
２ａ、２ｂ  床躯体端部
３  目地カバー機構
４  カバー部材
５  目地カバー収納ケーシング
６  ボールキャスター
７  スライドレール
８  中板
９ａ、９ｂ  下地骨材
１０  滑動受板
１１ａ、１１ｂ、１１ｃ・・・  キャスター
１２ａ、１２ｂ  床仕上げ材  
１３  上部カバー材
１４  床仕上げ材
１５  傾斜縁部
１６  止水シート
１７  耐火帯
１８  段差目地解消装置
１９  端部固定スラット
２０  ビス
２１ａ、１２ｂ、１２ｃ・・・２１ｉ  中間スラット片
２２  スラット片端部
２３  Ｖ溝
２４  床仕上げ材
２５  嵌合溝部
２６  載置底面
２８  円型嵌合部
２９  スラット載置底面
３１  係合部
３２  載置底面
Ａ  床躯体  
Ｂ  床躯体
Ｃ    クリアランス
（Ｘ）  Ｘ方向変位
Ｈ１  目地高さ
Ｈ２  目地高さ
Ｔ  隙間
【図１】
2017066821.tif 000003
【図２】
2017066821.tif 000004
【図３】
2017066821.tif 000005
【手続補正書】
【提出日】平成29年2月7日(2017.2.7)
【手続補正１】
【補正対象書類名】特許請求の範囲
【補正対象項目名】請求項１
【補正方法】変更
【補正の内容】
【請求項１】
免震建物側の床躯体と該床躯体に対向して建てられた他方の非免震建物側の床躯体間にはクリアランス（間隙部）が設けられており、
該クリアランス間に対向して設けられた床躯体端部間にはクリアランスを塞ぐ目地カバー機構のカバー部材が横架され、
該カバー部材の一方はクリアランスの巾方向に対して移動不能に固定されており、
該カバー部材の他方は自由端部でそのカバー部材の変動量を許容可能な空間を有する目地カバー収納ケーシング内で摺動可能に支承されており、
該目地カバー収納ケーシング内で摺動する前記カバー部材の形状は少なくともクリアランスの略２倍以上の巾を持ちその２分の１は前記目地カバー収納ケーシング内に収納されていて地震時の変動量の伸縮に対応可能な目地カバー部材を構成しており、
前記目地カバー機構のカバー部材は上部に中板を有し、
該中板の固定側はビスにて固定された端部固定スラット片を設け、
該端部固定スラット片に対して回動可能に連結された複数個の中間スラット片、及び中間スラット片の自由端部側で回動可能にスラット片端部を設けており、
該スラット片端部が前記目地カバー収納ケーシング上に設けられた傾斜縁部を下部に重ねた状態でカバー部材と目地カバー収納ケーシング間の目地部を構成していることを特徴とする床のみ込み式エキスパンションジョイントの段差目地解消装置。
【手続補正２】
【補正対象書類名】特許請求の範囲
【補正対象項目名】請求項３
【補正方法】変更
【補正の内容】
【請求項３】
前記目地カバー機構のカバー部材を構成するスラット片端部に連結される複数個の中間スラット片は夫々薄く奥行き方向に細長い板形状を有しており、
該夫々の中間スラット片は上面に対向して設けられたＶ溝を有して床仕上げ材を嵌着でき、
該夫々の中間スラット片の側面には並列する中間スラット片を回動可能に連結するための嵌合部と嵌合溝部が設けられており、
更に前記夫々の中間スラット片は一端が自由で可撓性を有して前記カバー部材の天板上に安定して載置されること及び前記傾斜縁部との重合時に傾斜縁部を極端に上部方向に持ち上げないよう夫々の中間スラット片の下面は湾曲形状にえぐられた載置底面が設けられていることを特徴とする請求項１に記載された床のみ込み式エキスパンションジョイントの段差目地解消装置。
【手続補正３】
【補正対象書類名】特許請求の範囲
【補正対象項目名】請求項４
【補正方法】変更
【補正の内容】
【請求項４】
前記目地カバー機構のカバー部材の可動可能な自由端部側中間スラット片先端部側の嵌合溝部に嵌合部を介して回動可能に連結されているスラット片端部は、
その先端において薄く丸み有した係合部を形成して通常時において前記傾斜縁部を下部に重ねた状態でカバー部材と目地カバー収納ケーシング間の目地部を構成していることを特徴とする請求項１に記載された床の見込み式エキスパンションジョイントの段差目地解消装置。
【手続補正４】
【補正対象書類名】明細書
【補正対象項目名】００２０
【補正方法】変更
【補正の内容】
【００２０】
本発明は、免震建物側の床躯体と該床躯体に対向して建てられた他方の非免震建物側の床躯体間にはクリアランス（間隙部）が設けられており、該クリアランス間に対向して設けられた床躯体端部間にはクリアランスを塞ぐ目地カバー機構のカバー部材が横架され、該カバー部材の一方はクリアランスの巾方向に対して移動不能に固定されており、該カバー部材の他方は自由端部でそのカバー部材の変動量を許容可能な空間を有する目地カバー収納ケーシング内で摺動可能に支承されており、該目地カバー収納ケーシング内で摺動する前記カバー部材の形状は少なくともクリアランスの略２倍以上の巾を持ちその２分の１は前記目地カバー収納ケーシング内に収納されていて地震時の変動量の伸縮に対応可能な目地カバー部材を構成しており、前記目地カバー機構のカバー部材は上部に中板を有し、該中板の固定側はビスにて固定された端部固定スラット片を設け、該端部固定スラット片に対して回動可能に連結された複数個の中間スラット片、及び中間スラット片の自由端部側で回動可能にスラット片端部を設けており、該スラット片端部が前記目地カバー収納ケーシング上に設けられた傾斜縁部を下部に重ねた状態でカバー部材と目地カバー収納ケーシング間の目地部を構成していることを特徴とする床のみ込み式エキスパンションジョイントの段差目地解消装置を提供するものである。
【手続補正５】
【補正対象書類名】明細書
【補正対象項目名】００２２
【補正方法】変更
【補正の内容】
【００２２】
更に本発明において、前記目地カバー機構のカバー部材を構成するスラット片端部に連結される複数個の中間スラット片は、夫々薄く奥行き方向に細長い板形状を有しており、該夫々の中間スラット片は上面に対向して設けられたＶ溝を有して床仕上げ材を嵌着でき、該夫々の中間スラット片の側面には並列する中間スラット片を回動可能に連結するための嵌合部と嵌合溝部が設けられており、更に前記夫々の中間スラット片は一端が自由で可撓性を有して前記カバー部材の中板上に安定して載置されること及び前記傾斜縁部との重合時に傾斜縁部を極端に上部方向に持ち上げないよう夫々の中間スラット片の下面は湾曲形状にえぐられたスラット載置底面が設けられている床のみ込み式エキスパンションジョイントの段差目地解消装置を提供するものである。
【手続補正６】
【補正対象書類名】明細書
【補正対象項目名】００２３
【補正方法】変更
【補正の内容】
【００２３】
そして、本発明は、前記目地カバー機構のカバー部材の可動可能な自由端部側中間スラット片先端部側の嵌合溝部に嵌合部を介して回動可能に連結されているスラット片端部は、その先端において薄く丸み有した係合部を形成して通常時において前記傾斜縁部を下部に重ねた状態でカバー部材と目地カバー収納ケーシング間の目地部を構成している床の見込み式エキスパンションジョイントの段差目地解消装置を提供するものである。
【手続補正７】
【補正対象書類名】明細書
【補正対象項目名】００３１
【補正方法】変更
【補正の内容】
【００３１】
本発明は、免震建物側の床躯体と該床躯体に対向して建てられた他方の非免震建物側の床躯体間にはクリアランス（間隙部）が設けられており、該クリアランス間に対向して設けられた床躯体端部間にはクリアランスを塞ぐ目地カバー機構のカバー部材が横架され、該カバー部材の一方はクリアランスの巾方向に対して移動不能に固定されており、該カバー部材の他方は自由端部でそのカバー部材の変動量を許容可能な空間を有する目地カバー収納ケーシング内で摺動可能に支承されており、該目地カバー収納ケーシング内で摺動する前記カバー部材の形状は少なくともクリアランスの略２倍以上の巾を持ちその２分の１は前記目地カバー収納ケーシング内に収納されていて地震時の変動量の伸縮に対応可能な目地カバー部材を構成しており、前記目地カバー機構のカバー部材は上部に中板を有し、該中板の固定側はビスにて固定された端部固定スラット片を設け、該端部固定スラット片に対して回動可能に連結された複数個の中間スラット片、及び中間スラット片の自由端部側で回動可能にスラット片端部を設けており、該スラット片端部が前記目地カバー収納ケーシング上に設けられた傾斜縁部を下部に重ねた状態でカバー部材と目地カバー収納ケーシング間の目地部を構成していることが好ましい。
【手続補正８】
【補正対象書類名】明細書
【補正対象項目名】００３３
【補正方法】変更
【補正の内容】
【００３３】
更に本発明において、前記目地カバー機構のカバー部材を構成するスラット片端部に連結される複数個の中間スラット片は、夫々薄く奥行き方向に細長い板形状を有しており、該夫々の中間スラット片は上面に対向して設けられたＶ溝を有して床仕上げ材を嵌着でき、該夫々の中間スラット片の側面には並列する中間スラット片を回動可能に連結するための嵌合部と嵌合溝部が設けられており、更に前記夫々の中間スラット片は一端が自由で可撓性を有して前記カバー部材の天板上に安定して載置されること及び前記傾斜縁部との重合時に傾斜縁部を極端に上部方向に持ち上げないよう夫々の中間スラット片の下面は湾曲形状にえぐられた載置底面が設けられていることが好ましい。
【手続補正９】
【補正対象書類名】明細書
【補正対象項目名】００３４
【補正方法】変更
【補正の内容】
【００３４】
そして、本発明は、前記目地カバー機構のカバー部材の可動可能な自由端部側中間スラット片先端部側の嵌合溝部に嵌合部を介して回動可能に連結されているスラット片端部は、その先端において薄く丸み有した係合部を形成して通常時において前記傾斜縁部を下部に重ねた状態でカバー部材と目地カバー収納ケーシング間の目地部を構成している床用エキスパンションジョイントの目地装置を提供するものである。
【手続補正１０】
【補正対象書類名】明細書
【補正対象項目名】００４０
【補正方法】変更
【補正の内容】
【００４０】
斯くして、床用エキスパンションジョイント１の目地カバー機構３を構成するカバー部材４の上面に設置され床躯体端部２ａ、２ｂ間のクリアランスＣを塞ぐ段差目地解消装置１８は、前記カバー部材４の中板８が地震時の揺れに対応して、目地カバー収納ケーシング５にスライド摺動する位置において実施されている。即ち、端部固定スラット片１９は床躯体端部２ａ側のカバー部材４に中板８を介してビス２０にて固定されており、該端部固定スラット１９に対して回動可能に連結された複数個の中間スラット片２１ａ、２１ｂ、２１ｃ、２１ｄ，２１ｅ、２１ｆ、２１ｇ、２１ｈ、２１ｉが前記中板８上に配列されており該中間スラット片２１ｉの端部には中間スラット片２１ｉに対して回動可能にスラット片端部２２が連結されている。
【手続補正１１】
【補正対象書類名】明細書
【補正対象項目名】００４２
【補正方法】変更
【補正の内容】
【００４２】
次に、上記端部固定スラット片１９に連結される中間スラット片２１ａ、２１ｂ、２１ｃ・・・は、夫々薄く奥行き方向に細長い板形状を有しており、上面に対向して設けられたＶ溝２３を有して床仕上げ材２４を嵌着でき、夫々の中間スラット片２１ａ、２１ｂ、２１ｃ・・・側面には並列する部材を回動可能に連結するための前記嵌合溝部２５と円型嵌合部２８が設けられており、中間スラット片２１ａ、２１ｂ、２１ｃ・・・は一端が自由で可撓性を有して前記カバー部材４の中板８上に安定して載置されること、及び後に詳説する前記傾斜縁部１５との重合時に傾斜縁部１５を極端に上部方向に持ち上げないよう夫々の中間スラット片２１ａ、２１ｂ、２１ｃ・・・の下面は湾曲形状にえぐられたスラット載置底面２９が設けられている。
【手続補正１２】
【補正対象書類名】明細書
【補正対象項目名】００４３
【補正方法】変更
【補正の内容】
【００４３】
そして、カバー部材４の可動可能な方向の端部には、中間スラット片２０ｉ側面の嵌合溝部２８に嵌合部２７を介して回動可能に連結されているスラット片端部２２が連結されており、該スラット片端部２２はその先端において薄く丸み有した係合部３１を形成して通常時において、前記傾斜縁部１５を下部に重ねた状態でカバー部材４と目地カバー収納ケーシング５間の目地部を構成している。従って、中間スラット片２１ａ、２１ｂ、２１ｃ・・・とスラット片端部２２は前記端部固定スラット片１９から連結され、傾斜縁部１５側端部が自由で全体的に可撓性を有して前記カバー部材４の中板８上に安定してグラツキなく載置されている。尚、３２は前記傾斜縁部１５との重合時に傾斜縁部１５を極端に上部方向に持ち上げないようにするためにスラット片端部２２下面に設けた湾曲形状の載置底面である。
【手続補正１３】
【補正対象書類名】明細書
【補正対象項目名】００４６
【補正方法】変更
【補正の内容】
【００４６】
図３（Ａ）は、図３（Ｃ）に示す段差目地解消装置１８の設置時、または通常時の状態から、クリアランスＣが地震の揺れにより縮小方向に動き始めた状態を示すもので、クリアランスＣの間隙が縮小し始めることにより図３（Ａ）においてスラット片端部２２と傾斜縁部１５は重なりあって、目地部高さＨ１を有してカバー部材４の中間板８上に載置されていた状態になり、傾斜縁部１５はスラット片端部２２及び中間スラット片２１ｉを押し上げ、やがて、完全に傾斜縁部１５はスラット片端部２２及び中間スラット片２１ｉを押し上げて図３（Ｂ）に示すように目地部高さＨ２を有する高さになる。そして、目地部高さＨ２は中間スラット片２１ａ、２１ｂ、２１ｃ・・・と上部カバー材１３上に貼着した収納ケーシング用の床仕上げ材１４の厚さを有した盛り上がり部を形成するが、該盛り上がり部の高さに到達するアプローチは夫々可動可能に連結されその回動部により可撓性有した中間スラット片２１ａ、２１ｂ、２１ｃ・・・やスラット片端部２２によりなだらかにカバーされた状態に形成されており、地震時の揺れが継続している場合においても極端な凸部を形成しないので、避難路として安全に行き来することが可能である。
【手続補正１４】
【補正対象書類名】明細書
【補正対象項目名】００４８
【補正方法】変更
【補正の内容】
【００４８】
次に図３（Ｄ）は、段差目地解消装置１８部分のクリアランスＣが最大方向に動いた状態を示す動作説明図を夫々しめしており、スラット片端部２２は傾斜縁部１５とカバー部材４の中板８上で離れ、隙間Ｔを形成するが、その段差目地解消装置１８上の隙間Ｔは、地震の終息時において、通常は、図３（Ｃ）に示すように段差目地解消装置１８の元の設置時に戻る場合が多いが、例えば、地震の揺れが終息した時点で、図３（Ｃ）の如く前記間隙Ｔが残ってしまった場合には、中間スラット片２１ｉの次に新しい中間スラット片を数本付加することにより段差目地解消装置１８を図３（Ｃ）のように修理可能であり、建物本体がダメージない場合において、診療業務や宿泊業務を継続していかなくてはならない病院やホテル等の建物においては、非常に有効な床用エキスパンションジョイントの目地装置を提供するものである。
【手続補正１５】
【補正対象書類名】明細書
【補正対象項目名】００４９
【補正方法】変更
【補正の内容】
【００４９】
而して、本発明は、免震建物側の床躯体と該床躯体に対向して建てられた他方の非免震建物側の床躯体間にはクリアランス（間隙部）が設けられており、該クリアランス間に対向して設けられた床躯体端部間にはクリアランスを塞ぐ目地カバー機構のカバー部材が横架され、該カバー部材の一方はクリアランスの巾方向に対して移動不能に固定されており、該カバー部材の他方は自由端部でそのカバー部材の変動量を許容可能な空間を有する目地カバー収納ケーシング内で摺動可能に支承されており、該目地カバー収納ケーシング内で摺動する前記カバー部材の形状は少なくともクリアランスの略２倍以上の巾を持ちその２分の１は前記目地カバー収納ケーシング内に収納されていて地震時の変動量の伸縮に対応可能な目地カバー部材を構成しており、前記目地カバー機構のカバー部材は上部に中板を有し、該中板の固定側はビスにて固定された端部固定スラット片を設け、該端部固定スラット片に対して回動可能に連結された複数個の中間スラット片、及び中間スラット片の自由端部側で回動可能にスラット片端部を設けており、該スラット片端部が前記目地カバー収納ケーシング上に設けられた傾斜縁部を下部に重ねた状態でカバー部材と目地カバー収納ケーシング間の目地部を構成していることを特徴とする床のみ込み式エキスパンションジョイントの段差目地解消装置を提供するものである。
【手続補正１６】
【補正対象書類名】明細書
【補正対象項目名】００５１
【補正方法】変更
【補正の内容】
【００５１】
更に本発明において、前記目地カバー機構のカバー部材を構成するスラット片端部に連結される複数個の中間スラット片は、夫々薄く奥行き方向に細長い板形状を有しており、該夫々の中間スラット片は上面に対向して設けられたＶ溝を有して床仕上げ材を嵌着でき、該夫々の中間スラット片の側面には並列する中間スラット片を回動可能に連結するための嵌合部と嵌合溝部が設けられており、更に前記夫々の中間スラット片は一端が自由で可撓性を有して前記カバー部材の中板上に安定して載置されること及び前記傾斜縁部との重合時に傾斜縁部を極端に上部方向に持ち上げないよう夫々の中間スラット片の下面は湾曲形状にえぐられたスラット載置底面が設けられている床のみ込み式エキスパンションジョイントの段差目地解消装置を提供するものである。
【手続補正１７】
【補正対象書類名】明細書
【補正対象項目名】００５６
【補正方法】変更
【補正の内容】
【００５６】
１  床用エキスパンションジョイント
２ａ、２ｂ  床躯体端部
３  目地カバー機構
４  カバー部材
５  目地カバー収納ケーシング
６  ボールキャスター
７  スライドレール
８  中板
９ａ、９ｂ  下地骨材
１０  滑動受板
１１ａ、１１ｂ、１１ｃ・・・  キャスター
１２ａ、１２ｂ  床仕上げ材  
１３  上部カバー材
１４  床仕上げ材
１５  傾斜縁部
１６  止水シート
１７  耐火帯
１８  段差目地解消装置
１９  端部固定スラット片
２０  ビス
２１ａ、１２ｂ、１２ｃ・・・２１ｉ  中間スラット片
２２  スラット片端部
２３  Ｖ溝
２４  床仕上げ材
２５  嵌合溝部
２６  載置底面
２８  円型嵌合部
２９  スラット載置底面
３１  係合部
３２  載置底面
Ａ  床躯体  
Ｂ  床躯体
Ｃ    クリアランス
（Ｘ）  Ｘ方向変位
Ｈ１  目地高さ
Ｈ２  目地高さ
Ｔ  隙間